(57)【要約】【課題】記憶媒体の接続端子を端子電極に確実に接続しローディング装置の動作の信頼性の向上を図る。【解決手段】接続端子１０５、１０５、・・・を有する記憶媒体１００を保持すると共に記憶媒体の挿入又は取出が行われる挿入取出位置と記憶媒体のローディングが完了される完了位置との間を移動されるホルダー３４と、該ホルダーを挿入取出位置と完了位置との間で移動自在に支持するシャーシ２２と、上記ホルダーに取り付けられ記憶媒体の接続端子が接続される端子電極４６、４６、・・・と、上記ホルダーを挿入取出位置にロックするロックレバー４２とを設け、記憶媒体の接続端子が上記端子電極に接続されたときに挿入取出位置におけるロックレバーによるホルダーのロックを解除するようにした。【選択図】        図２１
2004272451.tif 000002
【特許請求の範囲】
【請求項１】
接続端子を有する記憶媒体を保持すると共に記憶媒体の挿入又は取出が行われる挿入取出位置と記憶媒体のローディングが完了される完了位置との間を移動されるホルダーと、
該ホルダーを挿入取出位置と完了位置との間で移動自在に支持するシャーシと、
上記ホルダーに取り付けられ記憶媒体の接続端子が接続される端子電極と、
上記ホルダーを挿入取出位置にロックするロックレバーとを備え、
記憶媒体の接続端子が上記端子電極に接続されたときに挿入取出位置におけるロックレバーによるホルダーのロックが解除されるようにした
ことを特徴とする接続端子を有する記憶媒体のローディング装置。
【請求項２】
上記ロックレバーにホルダーの挿入取出位置からの移動を規制する規制部を設けると共にロックレバーをホルダーに対してロック位置とロック解除位置との間で回動可能とし、
ロックレバーをロック位置へ向けて付勢する付勢バネを設け、
上記シャーシに、ホルダーのロック時にロックレバーの規制部に対向する被規制部を設け、
上記挿入取出位置においてロックレバーの規制部とシャーシの被規制部との間に所定の隙間を形成した
ことを特徴とする請求項１に記載の接続端子を有する記憶媒体のローディング装置。
【請求項３】
上記ホルダーに対してその移動方向と同じ方向へ移動可能とされラック部を有する搬送用ラックと、
該搬送用ラックのラック部に噛合された伝達ギヤと、
該伝達ギヤを介して搬送用ラックに駆動力を伝達する駆動モーターと、
上記搬送用ラックとホルダーとを連結し該ホルダーを挿入取出位置へ向けて付勢するリミッターバネとを設けた
ことを特徴とする請求項１に記載の接続端子を有する記憶媒体のローディング装置。
【請求項４】
上記ホルダーに挿入された記憶媒体を保持する保持部をホルダーに一体に形成した
ことを特徴とする請求項１に記載の接続端子を有する記憶媒体のローディング装置。
【請求項５】
上記ホルダーを金属材料によって形成し、
上記保持部としてホルダーの内部空間側に突出された打出状の突部を形成したことを特徴とする請求項４に記載の接続端子を有する記憶媒体のローディング装置。
【請求項６】
上記ホルダーに操作突部を設け、
該操作突部によって操作され駆動モーターの駆動状態を切り替える切替スイッチを設けた
ことを特徴とする請求項１に記載の接続端子を有する記憶媒体のローディング装置。
【発明の詳細な説明】
【０００１】
【発明の属する技術分野】
本発明は接続端子を有する記憶媒体のローディング装置に関する。詳しくは、記憶媒体の接続端子と端子電極とが接続された状態でローディングを開始して接続端子を端子電極に確実に接続する技術分野に関する。
【０００２】
【従来の技術】
情報信号が記憶される記憶媒体、例えば、半導体メモリーと複数の接続端子とを有する板状の記憶媒体をローディングするローディング装置がある。このようなローディング装置は、例えば、各種の音響機器、パーソナルコンピュータ、携帯電話等の各種の電子機器に設けられている。
【０００３】
ローディング装置には記憶媒体を保持するホルダーと該ホルダーをその移動方向へ移動自在に支持するシャーシとを備え、該シャーシに記憶媒体の各接続端子が接続される複数の端子電極が取り付けられているものがある（例えば、特許文献１参照）。
【０００４】
この従来のローディング装置にあっては、ホルダーが、記憶媒体の挿脱を行う第１の位置と記憶媒体の各接続端子が各端子電極に接続される第２の位置との間で移動可能とされており、第１の位置にあるホルダーに記憶媒体が挿入されて保持されると、ホルダーと記憶媒体が一体となって付勢部材（トグルバネ）の付勢力によって第２の位置まで移動され、各接続端子が各端子電極に接続されて記憶媒体のローディングが完了する。
【０００５】
【特許文献１】
特開２００１―６０２５３号公報
【０００６】
【発明が解決しようとする課題】
ところが、上記した従来のローディング装置にあっては、各端子電極がシャーシに取り付けられており、ホルダーに保持された記憶媒体の各接続端子がシャーシに取り付けられた各端子電極に接続されるため、シャーシに対する端子電極の取付位置精度、シャーシに対するホルダーの位置精度及びホルダーに対する記憶媒体の挿入位置精度が各接続端子と各端子電極との接続状態に影響する。即ち、これらの良好な位置精度が確保されていない場合には、記憶媒体の各接続端子と各端子電極との接続不良を生じるおそれがある。
【０００７】
また、ホルダーがシャーシに対して移動されてホルダーに保持された記憶媒体の各接続端子が各端子電極に接続されるため、例えば、トグルバネの劣化によりホルダーが第２の位置の手前側で停止してしまった場合や、ホルダーに対する記憶媒体の挿入状態が不完全であった場合等には、記憶媒体の各接続端子と各端子電極との良好な接続状態が確保されない可能性がある。
【０００８】
そこで、本発明接続端子を有する記憶媒体のローディング装置は、記憶媒体の接続端子を端子電極に確実に接続しローディング装置の動作の信頼性の向上を図ることを課題とする。
【０００９】
【課題を解決するための手段】
本発明接続端子を有する記憶媒体のローディング装置は、上記した課題を解決するために、接続端子を有する記憶媒体を保持すると共に記憶媒体の挿入又は取出が行われる挿入取出位置と記憶媒体のローディングが完了される完了位置との間を移動されるホルダーと、該ホルダーを挿入取出位置と完了位置との間で移動自在に支持するシャーシと、上記ホルダーに取り付けられ記憶媒体の接続端子が接続される端子電極と、上記ホルダーを挿入取出位置にロックするロックレバーとを設け、記憶媒体の接続端子が上記端子電極に接続されたときに挿入取出位置におけるロックレバーによるホルダーのロックを解除するようにしたものである。
【００１０】
従って、本発明接続端子を有する記憶媒体のローディング装置にあっては、記憶媒体の接続端子が端子電極に接続された状態で挿入取出位置から完了位置へのホルダーの移動が開始される。
【００１１】
【発明の実施の形態】
以下に、本発明接続端子を有する記憶媒体のローディング装置の実施の形態を添付図面に従って説明する。
【００１２】
先ず、ローディング装置に装着されてデーターの読み書きが行われる板状の記憶媒体について説明する（図１乃至図３参照）。
【００１３】
記憶媒体１００は一方向に長い扁平な略矩形状に形成され（図１参照）、筐体１０１にフラッシュメモリー等の半導体メモリーが内蔵されている。筐体１０１は最大の面積を有する第１の主面１０１ａと該第１の主面１０１ａの反対側の面である図示しない第２の主面とを有している。
【００１４】
第１の主面１０１ａの長手方向（前後方向）における一端部に接続部１０２が設けられている。接続部１０２には、第１の主面１０１ａの短手方向（左右方向）に離隔して等間隔に設けられた複数の仕切壁１０３、１０３、・・・によって１０個の接続用凹部１０４、１０４、・・・が形成されている。接続用凹部１０４、１０４、・・・は第１の主面１０１ａの長手方向における一方及び記憶媒体１００の厚み方向における一方に開口され、接続用凹部１０４、１０４、・・・にはそれぞれ接続端子１０５、１０５、・・・が配置されている。
【００１５】
記憶媒体１００の接続部１０２に隣接する部分は筐体１０１の厚み方向に開口された切欠部１０６として設けられ、該切欠部１０６の外縁が略円弧状を為す面取り部１０７として形成されている。
【００１６】
第１の主面１０１ａの接続部１０２の近傍には、誤記録防止摘子１０８がスライド自在に設けられている。誤記録防止摘子１０８は、一方にスライドさせた状態において半導体メモリーへのデーターの書き込みを可能とし、他方にスライドさせた状態において半導体メモリーへのデーターの書き込みを不能とする機能を有する。
【００１７】
接続端子１０５、１０５、・・・は、１０個の平面端子電極（端子Ｔ１乃至Ｔ１０）によって構成されている（図２参照）。
【００１８】
端子Ｔ１及び端子Ｔ１０は検出電圧ＶＳＳ端子である。端子Ｔ２はシリアルプロトコルバスステート信号ＢＳの入力端子である。端子Ｔ３及び端子Ｔ９は電源電圧ＶＣＣ端子である。端子Ｔ４はシリアルプロトコルデーター信号の入出力端子である。端子Ｔ５及び端子Ｔ７は予備端子である。端子Ｔ６は記憶媒体１００の検出用の検出端子である。端子Ｔ８はシリアルクロックＳＣＬＫの入力端子である。
【００１９】
次に、端子Ｔ１乃至Ｔ１０と記憶媒体１００の内部構造との関係を説明する（図３参照）。
【００２０】
筐体１０１の内部には、コントロールＩＣ１０９と半導体メモリー１１０とが配置されている。
【００２１】
コントロールＩＣ１０９は半導体メモリー１１０に対するデーターの読み書きを行う機能を有している。コントロールＩＣ１０９は端子Ｔ２、端子Ｔ４及び端子Ｔ８と接続され、端子Ｔ２からシリアルプロトコルバスステート信号ＢＳが入力され、端子Ｔ８からシリアルクロックＳＣＬＫが入力される。
【００２２】
書込動作時には、端子Ｔ２から入力されるシリアルプロトコルバスステート信号ＢＳ及び端子Ｔ８から入力されるシリアルクロックＳＣＬＫに基づいて、半導体メモリー１１０に対して端子Ｔ４から入力されるデーターの書き込みが行われる。
【００２３】
読出動作時には、シリアルプロトコルバスステート信号ＢＳ及びシリアルクロックＳＣＬＫに基づいて、半導体メモリー１１０からのデーターの読み出しが行われ、端子Ｔ４を介して読み出されたデーターが出力される。
【００２４】
検出電圧ＶＳＳは端子Ｔ６に入力され、抵抗Ｒによって端子Ｔ６の電圧が検出され、記憶媒体１００の接続端子１０５、１０５、・・・がローディング装置の各端子電極に接続されているかどうかの検出が行われる。
【００２５】
次に、記憶媒体１００をローディングするローディング装置１について説明する（図４乃至図１５参照）。ローディング装置１は各種の音響機器、パーソナルコンピュータ、携帯電話等の各種の電子機器に設けられ、これらの電子機器において、ローディングされた記憶媒体１００に対して、例えば、動画データー、静止画データー、音声データー、ＨｉＦｉデーター（音楽データー）、コンピュータ用データー、制御用データー等の各種のデーターの書込又は読取が行われる。
【００２６】
ローディング装置１は電子機器の外筐内に配置され、この外筐には記憶媒体１００のローディング装置１への挿入又は記憶媒体１００のローディング装置１からの取出を行うためのスロットが形成されている。
【００２７】
ローディング装置１はベース体２に所要の各部が配置されて成る（図４乃至図６参照）。ベース体２は取付ベース３と配置ベース４とが結合されて成る。
【００２８】
取付ベース３は、図７に示すように、縦長の略矩形状を為す底面板部３ａと該底面板部３ａの左右両側縁からそれぞれ上方へ突出された側面板部３ｂ、３ｂとを有している。側面板部３ｂ、３ｂの上縁にはそれぞれ内側へ折り曲げられて形成された結合面部３ｃ、３ｃ、・・・が設けられ、側面板部３ｂ、３ｂの下縁にはそれぞれ外側へ折り曲げられて形成された被取付面部３ｄ、３ｄが設けられている。被取付面部３ｄ、３ｄはネジ止めによって電子機器の内部の所定の位置に取り付けられる。
【００２９】
取付ベース３には、底面板部３ａの所定の位置から折り曲げられて形成された基板取付部３ｅ、３ｅ、３ｅが設けられ、該基板取付部３ｅ、３ｅ、３ｅは底面板部３ａと結合面部３ｃ、３ｃ、・・・との間に位置されている。
【００３０】
一方の側面板部３ｂには外側へ折り曲げられて形成されたモーター受部３ｆが設けられている。
【００３１】
配置ベース４は、図８に示すように、第１の平板部５と第２の平板部６とモーター取付部７とを有し、左右に位置する第１の平板部５と第２の平板部６とが段差部８によって連結されている。
【００３２】
第１の平板部５は第２の平板部６より稍高い位置にあり、第１の平板部５の所定の位置にネジ穴を有するシャーシ取付片５ａ、５ａが設けられている。第２の平板部６の所定の位置にはネジ穴を有するシャーシ取付片６ａが設けられている。第２の平板部６には前後に長い配置孔６ｂが形成されている。モーター取付部７は第１の平板部５に連続して設けられている。段差部８にはギヤ配置孔８ａが形成されている。
【００３３】
配置ベース４は所定の部分がそれぞれ取付ベース３の結合面部３ｃ、３ｃ、・・・に取付ネジ９、９、・・・によって取り付けられる（図４及び図６参照）。
【００３４】
取付ベース３の基板取付部３ｅ、３ｅ、３ｅにはネジ部材１０、１０、１０によって回路基板１１が取り付けられている（図４乃至図７参照）。
【００３５】
回路基板１１の一方の側縁には前後に離隔して切替スイッチ１２、１３が搭載されている（図４乃至図６参照）。切替スイッチ１２、１３は、それぞれスイッチ筐体１２ａ、１３ａと被操作子１２ｂ、１３ｂとによって構成され、被操作子１２ｂ、１３ｂが操作されることによりオン又はオフとされる。切替スイッチ１２、１３は被操作子１２ｂ、１３ｂが配置ベース４の配置孔６ｂから上方へ突出されている。
【００３６】
切替スイッチ１２、１３の被操作子１２ｂ、１３ｂはそれぞれスイッチ筐体１２ａ、１３ａに対して回動され、後述するホルダーの操作突部によって操作された状態において、横倒しに回動された操作ポジション（図９に鎖線で示すポジション）に至り、操作が解除された状態において、非操作ポジション（図９に実線で示すポジション）に復帰するようになっている。
【００３７】
回路基板１１には、図７に示すように、モーター用コネクター１４、配線板用コネクター１５及び外部接続用コネクター１６が各別の位置に搭載されている。外部接続用コネクター１６は電源供給や信号の授受等のために電子機器の図示しない駆動回路と接続板を介して接続される。
【００３８】
配置ベース４の第１の平板部５には伝達ギヤ１７、１７、１７が支持されている（図６及び図８参照）。伝達ギヤ１７、１７、１７は段付ギヤであり、互いに噛合された状態で配置ベース４の底面側に配置されている。伝達ギヤ１７、１７、１７のうち最前列の伝達ギヤ１７は、その一部が段差部８のギヤ配置孔８ａから第２の平板部６側へ突出されている（図８参照）。
【００３９】
配置ベース４のモーター取付部７には駆動モーター１８がネジ止めによって取り付けられ、該駆動モーター１８は取付ベース３のモーター受部３ｆによって受けられている。駆動モーター１８のモーター軸にはウォーム１９が固定され、該ウォーム１９が最後列の伝達ギヤ１７に噛合されている。駆動モーター１８は接続ケーブル１８ａ、１８ａによって回路基板１１に搭載されたモーター用コネクター１４に接続されている（図４乃至図６参照）。
【００４０】
配置ベース４の第２の平板部６には搬送用ラック２０が前後方向（図５に示すＦ―Ｒ方向）へ移動自在に支持されている。
【００４１】
搬送用ラック２０は、図１０に示すように、前後方向に長く形成され、前後に離隔して前後に長い被案内孔２０ａ、２０ａと前側の被案内孔２０ａの側方に前後に長い挿入孔２０ｂとが形成されている。搬送用ラック２０の一方の側縁にはラック部２０ｃが形成され、他方の側縁からはバネ掛け突部２０ｄが側方へ突出されている。
【００４２】
搬送用ラック２０は、図６に示すように、配置ベース４に取り付けられた案内ピン２１、２１がそれぞれ被案内孔２０ａ、２０ａに挿入されて配置ベース４に前後方向へ移動自在に支持される。搬送用ラック２０が配置ベース４に支持された状態においては、ラック部２０ｃが段差部８のギヤ配置孔８ａから突出された伝達ギヤ１７と噛合され、バネ掛け突部２０ｄが配置ベース４の配置孔６ｂに配置される。従って、駆動モーター１８が回転されると、その駆動力が伝達ギヤ１７、１７、１７を介して搬送用ラック２０に伝達され、該搬送用ラック２０が駆動モーター１８の回転方向に応じた方向、即ち、前方（図５に示すＦ方向）又は後方（図５に示すＲ方向）へ移動される。
【００４３】
取付ベース３のシャーシ取付片５ａ、５ａ、６ａにはシャーシ２２が取り付けられる（図４乃至図６参照）。シャーシ２２は、図１１に示すように、天板部２３と側板部２４、２５と後板部２６と受板部２７、２７とが一体に形成されて成る。
【００４４】
天板部２３には、その前端部にそれぞれ側方へ突出されたストッパー片２３ａ、２３ａが設けられている。天板部２３には側方へ突出された被取付片２３ｂが設けられている。
【００４５】
側板部２４、２５にはそれぞれ前後に長いガイド孔２４ａ、２５ａが形成されている。側板部２４、２５の前端寄りの位置には、それぞれ支持ピン２４ｂ、２５ｂが設けられている。側板部２４には、その長手方向における略中央部に下方へ突出された突部２４ｃが設けられ、該突部２４ｃの前縁が被規制部２４ｄとして形成されている。被規制部２４ｄの前側の空間はレバー挿通切欠２４ｅとして形成されている。側板部２５の支持ピン２５ｂの直ぐ後側の位置には側方へ突出されたバネ掛け突片２５ｃが設けられている。
【００４６】
後板部２６には下方に開口された配置用切欠２６ａが形成されている。
【００４７】
受板部２７、２７はそれぞれ側板部２４、２５の下縁から互いに近付く方向へ突出され、側板部２４、２５の前端側に位置されている。
【００４８】
シャーシ２２は被取付片２３ｂと後板部２６とが取付ベース３のシャーシ取付片５ａ、５ａ、６ａに止めネジ２８、２８、２８によって取り付けられる（図６参照）。
【００４９】
シャーシ２２の前端部にはシャッター２９が回動自在に支持されている（図１１参照）。シャッター２９は左右に長い開閉部３０と該開閉部３０の左右両端部からそれぞれ後方へ突出された腕部３１、３２とが一体に形成されて成る。
【００５０】
開閉部３０には、図１２に示すように、前面に第１の案内面３０ａが形成され、後面に第２の案内面３０ｂが形成されている。第１の案内面３０ａは上方へ行くに従って後方へ変位するように傾斜され、第２の案内面３０ｂは上方へ行くに従って前方へ変位するように傾斜されている。
【００５１】
腕部３１、３２の先端部には、それぞれ被支持孔３１ａ、３２ａが形成されている。
【００５２】
腕部３２の外面には側方へ突出されたバネ支持軸３２ｂが設けられている。腕部３２には、バネ支持軸３２ｂの前方の位置にバネ掛け片３２ｃが設けられ、バネ支持軸３２ｃの後方の位置に脱落防止片３２ｄが設けられている。バネ掛け片３２ｃ及び脱落防止片３２ｄは、何れも横倒しＬ字状に形成されている。
【００５３】
シャッター２９は被支持孔３１ａ、３２ａにそれぞれシャーシ２２の支持ピン２４ｂ、２５ｂが挿入されてシャーシ２２に回動自在に支持される。シャッター２９がシャーシ２２に支持された状態においては、図１３に示すように、捩りコイルバネ３３のコイル部３３ａがシャッター２９のバネ支持軸３２ｂに支持され、捩りコイルバネ３３の一端部３３ｂがシャッター２９のバネ掛け片３２ｃに支持され、捩りコイルバネ３３の他端部３３ｃが脱落防止片３２ｄを通されてシャーシ２２のバネ掛け突片２５ｃに支持される。従って、シャッター２９は、捩りコイルバネ３３によって開閉部３０が略上方（図１３に示すＵ方向）へ移動する方向へ付勢され、腕部３１、３２の上面がシャーシ２２のストッパー片２３ａ、２３ａに接した状態において、シャーシ２２の前面開口がシャッター２９の開閉部３０によって閉塞される。
【００５４】
シャーシ２２にはホルダー３４が前後方向（図５に示すＦ―Ｒ方向）へ移動自在に支持されている（図４及び図５参照）。ホルダー３４はともに金属材料によって形成されたアッパーシェル３５とロアーシェル３６とが上下で結合されて成る（図１４参照）。
【００５５】
アッパーシェル３５は上面３７と該上面３７の左右両側縁にそれぞれ連続した側面３８、３８とが一体に形成されて成る。
【００５６】
上面３７には保持部３７ａ、３７ａ、３７ｂが形成されている。保持部３７ａ、３７ａ、３７ｂは上面３７の一部が下方へ打ち出された突状に形成されており、保持部３７ａ、３７ａが左右に離隔して位置され前後に長く形成され、保持部３７ｂが上面３７の後端に寄って位置され左右に長く形成されている。
【００５７】
側面３８、３８には、それぞれ前後に離隔して係合片３８ａ、３８ａ、・・・が形成されている。係合片３８ａ、３８ａ、・・・は側面３８、３８の一部が切り起こされて板バネとして形成され、下縁のみが側面３８、３８に連続され、上縁が下縁より外側に位置されている。
【００５８】
ロアーシェル３６は下面部３９と該下面部３９の左右両側縁にそれぞれ連続した側面部４０、４０とが一体に形成されて成る（図１４及び図１５参照）。
【００５９】
下面部３９の前端寄りの位置には下方へ突出された被押圧ピン３９ａが設けられている。下面部３９の一方の側縁部には下面部３９の一部が上方へ折り曲げられて形成された誤挿入防止片３９ｂが設けられている。下面部３９の後端寄りの位置には側方へ突出された操作突部３９ｃが設けられている。下面部３９の操作突部３９ｃの後側の位置には下方へ突出されたバネ支持片３９ｄが設けられている。
【００６０】
側面部４０、４０には、それぞれ後端寄りの位置に外方へ突出された被ガイドピン４０ａ、４０ａが設けられている。側面部４０、４０には、それぞれ前後に離隔して係合孔４０ｂ、４０ｂ、・・・が形成されている。一方の側面部４０には誤挿入防止片３９ｂの近傍の位置にレバー挿通孔４０ｃが形成されている。
【００６１】
アッパーシェル３５は側面３８、３８がそれぞれロアーシェル３６の側面部４０、４０の内面側に配置され、係合片３８ａ、３８ａ、・・・の上縁が係合孔４０ｂ、４０ｂ、・・・の各上側開口縁に係合されてアッパーシェル３５とロアーシェル３６が結合されホルダー３４が構成される。
【００６２】
搬送用ラック２０のバネ掛け突部２０ｄとホルダー３４のバネ支持片３９ｄとの間にはリミッターバネ４１が張設されている（図５及び図１０参照）。リミッターバネ４１は、例えば、引張コイルバネであり、配置ベース４に形成された配置孔６ｂに配置される。搬送用ラック２０はリミッターバネ４１によって後方へ付勢されると共にホルダー３４はリミッターバネ４１によって前方へ付勢される。
【００６３】
ホルダー３４の内部にはロックレバー４２が回動自在に支持されている（図１４及び図１５参照）。ロックレバー４２はロアーシェル３６の下面部３９の誤挿入防止片３９ｂの後側に支持されている。
【００６４】
ロックレバー４２は、下面部３９に対する回動支点となる回動支点部４２ａと、該回動支点部４２ａから側方へ突出された第１の連結部４２ｂと、該第１の連結部４２ｂの先端縁から上方へ突出されたバネ弾接部４２ｃと、回動支点部４２ａから側方における第１の連結部４２ｂに対して略直交する方向へ突出された第２の連結部４２ｄと、該第２の連結部４２ｄに対して側方へ屈曲された規制部４２ｅとが一体に形成されて成る。規制部４２ｅは第２の連結部４２ｄに対して略直交されており、誤挿入防止片３９ｂの直ぐ後側においてレバー挿通孔４０ｃから突出可能な位置にある。
【００６５】
ロアーシェル３６の後端部には電極取付部材４３が取り付けられている（図１４及び図１５参照）。電極取付部材４３は横長の取付部４４と該取付部４４の左端部から前方へ突出された突出部４５とが樹脂材料によって一体に形成されて成り、取付部４４の左端寄りの位置に前方及び上方に開口されたバネ挿入凹部４４ａが形成されている。バネ挿入凹部４４ａの奥面には前方を向く弾接面４４ｂとして形成されている。
【００６６】
取付部４４には、その長手方向に並ぶようにして複数の端子電極４６、４６、・・・が取り付けられている。端子電極４６、４６、・・・は、ピッチが記憶媒体１００の接続端子１０５、１０５、・・・のピッチと同じにされている。各端子電極４６、４６、・・・の左右方向における幅は、接続端子１０５、１０５、・・・の左右方向における幅より小さくされている。
【００６７】
端子電極４６、４６、・・・は、それぞれ一部が取付部４４に埋設された状態で取付部４４から前方へ突出された基端部４６ａ、４６ａ、・・・と、該基端部４６ａ、４６ａ、・・・の先端から上方側へ折り返され基端部４６ａ、４６ａ、・・・に対して傾斜された弾接部４６ｂ、４６ｂ、・・・とを有している。端子電極４６、４６、・・・は、弾接部４６ｂ、４６ｂ、・・・が基端部４６ａ、４６ａ、・・・に対して弾性変位可能とされている。
【００６８】
突出部４５には、その下面側に少なくとも前方に開口された配置用切欠４５ａが形成されている。
【００６９】
取付部４４にはフレキシブルプリント配線板４７の一端部が埋設され、該一端部に形成された各電極部が端子電極４６、４６、・・・にそれぞれ接続されている。フレキシブルプリント配線板４７の他端部は回路基板１１に搭載された配線用コネクター１５に接続されている。フレキシブルプリント配線板４７は一部がシャーシ２２の後板部２６の配置用切欠２６ａに配置された状態で、電極取付部材４３と配線用コネクター１５との間で接続されている。
【００７０】
ロアーシェル３６に電極取付部材４３が取り付けられた状態において、バネ挿入凹部４４ａに、例えば、圧縮コイルバネである付勢バネ４８が配置され、該付勢バネ４８の両端がそれぞれバネ弾接面４４ｂとロックレバー４２のバネ弾接部４２ｃとに弾接される。従って、ロックレバー４２は、付勢バネ４８によって規制部４２ｅがホルダー３４のレバー挿通孔４０ｃから外方へ突出される方向へ付勢される。ロックレバー４２は、その一部が電極取付部材４３の配置用切欠４５ａに配置される。
【００７１】
以下に、ローディング装置１のローディング動作及びローディングされた記憶媒体１００についてのイジェクト動作を説明する（図１６乃至図２９参照）。尚、記憶媒体１００は、筐体１０１の第１の主面１０１ａが下方を向いた状態で接続部１０２側から電子機器のスロットを介してホルダー３４内に挿入される。
【００７２】
先ず、記憶媒体１００のローディングが開始される前のローディング装置１の各部の状態について説明する（図１６乃至図１８参照）。
【００７３】
搬送用ラック２０は前方（図に示すＦ方向）側の移動端に位置されている。搬送用ラック２０はラック部２０ｃが伝達ギヤ１７、１７、１７を介してウォーム１９に噛合されており、駆動モーター１８が回転されない限り移動されない。
【００７４】
ホルダー３４は搬送用ラック２０との間に張設されているリミッターバネ４１によって前方へ付勢されており、Ｆ方向における移動端、即ち、記憶媒体１００の挿入又は取出が行われる挿入取出位置にある。挿入取出位置においては、ホルダー３４の被ガイドピン４０ａ、４０ａがシャーシ２２のガイド孔２４ａ、２４ａの前端に位置されている。
【００７５】
ホルダー３４がＦ方向における移動端に位置されている状態においては、搬送用ラック２０の挿入孔２０ｂに挿入されているロアーシェル３６の被押圧ピン３９ａが挿入孔２０ｂの前端寄りの位置にある。従って、被押圧ピン３９ａと挿入孔２０ｂの前側開口縁との間には、隙間Ｈが形成されている（図１６及び図１７参照）。
【００７６】
ホルダー３４がＦ方向における移動端に位置されている状態においては、操作突部３９ｃによって前側の切替スイッチ１２の被操作子１２ｂが操作され該被操作子１２ｂが操作ポジションにある。従って、駆動モーター１８が停止されている。切替スイッチ１３の被操作子１３ｂは操作されていないため、該被操作子１３ｂは非操作ポジションにある。
【００７７】
ホルダー３４がＦ方向における移動端に位置されている状態においては、ロックレバー４２の規制部４２ｅがホルダー３４のレバー挿通孔４０ｃ及びシャーシ２２のレバー挿通切欠２４ｅから外方へ突出されている。このとき規制部４２ｅとシャーシ２２の被規制部２４ｄとの間には隙間Ｌが形成されている（図１６の拡大図参照）。
【００７８】
シャッター２９は捩りコイルバネ３３によって開閉部３０が略上方へ移動する方向へ付勢され、腕部３１、３２の上面がシャーシ２２のストッパー片２３ａ、２３ａに接し、シャーシ２２の前面開口がシャッター２９の開閉部３０によって閉塞されている。
【００７９】
以下に、電子機器のスロットに記憶媒体１００が挿入されたときの動作について説明する（図１９乃至図２８参照）。記憶媒体１００のスロットへの挿入は、使用者がスロットの奥側、即ち、後方へ記憶媒体１００を押圧することにより行われる。
【００８０】
記憶媒体１００が押圧されてスロットから挿入されていくと、記憶媒体１００がスロットに案内されて記憶媒体１００によってシャッター２９の開閉部３０の第１の案内面３０ａが押圧されていく（図１９参照）。第１の案内面３０ａは上方へ行くに従って後方へ変位するように傾斜されているため、記憶媒体１００によって第１の案内面３０ａが押圧されていくと、記憶媒体１００が第１の案内面３０ａと摺接され、捩じりコイルバネ３３の付勢力に抗してシャッター２９がシャーシ２２のストッパー片２３ａ、２３ａから離隔する方向（図１９に示すＭ１方向）へ回動されていく。
【００８１】
シャッター２９が回動されるとホルダー３４の前面開口が開放され、記憶媒体１００が前面開口からホルダー３４内に挿入されていく（図２０参照）。
【００８２】
記憶媒体１００がホルダー３４内に挿入されていくと、接続端子１０５、１０５、・・・がそれぞれ端子電極４６、４６、・・・の弾接部４６ｂ、４６ｂ、・・・に接続される（図２１参照）。弾接部４６ｂ、４６ｂ、・・・は基端部４６ａ、４６ａ、・・・に対して弾性変位されるため、接続端子１０５、１０５、・・・は弾接部４６ｂ、４６ｂ、・・・が下方から弾接された状態で接続される。記憶媒体１００がホルダー３４内に正規の向きで挿入されたときには、切欠部１０６がホルダー３４の誤挿入防止片３９ｂに対応して位置されるため、記憶媒体１００の挿入が誤挿入防止片３９ｂによって規制されることはない。
【００８３】
記憶媒体１００がさらにホルダー３４内に挿入されていくと、記憶媒体１００によってロックレバー４２のバネ弾接部４２ｃが押圧される（図２２参照）。ロックレバー４２のバネ弾接部４２ｃが記憶媒体１００によって押圧されると、ロックレバー４２は付勢バネ４８の付勢力に抗して規制部４２ｅがホルダー３４の内部に移動される方向（図２２に示すＳ１方向）へ回動され、ホルダー３４がシャーシ２２に対してＲ方向へ移動可能な状態とされる。記憶媒体１００は電極取付部材４３の取付部４４の前面に接するまでＲ方向へ移動される。
【００８４】
上記のようにリミッターバネ４２の規制部４２ｅとシャーシ２２の被規制部２４ｄとの間には隙間Ｌが形成されているため、ロックレバー４２が回動されるときに規制部４２ｅが被規制部２４ｄと接触されない。従って、ロックレバー４２の回動時の負荷を低減することができると共に規制部４２ｅ及び被規制部２４ｄの傷付きや摩耗を防止することができる。
【００８５】
記憶媒体１００がホルダー３４内に挿入された状態においては、記憶媒体１００の第１の主面１０１ａの反対側の第２の主面が、ホルダー３４のアッパーシェル３５に一体に形成された保持部３７ａ、３７ａ、３７ｂに弾接されて保持される（図２３参照）。
【００８６】
このようにローディング装置１にあっては、ホルダー３４に挿入された記憶媒体１００を保持する保持部３７ａ、３７ａ、３７ｂがホルダー３４に一体に形成されているため、記憶媒体１００を保持する専用の部品を必要とせず、部品点数の削減を図ることができると共に複雑な保持機構が不要であり機構の簡素化を図ることができる。
【００８７】
また、上記保持部３７ａ、３７ａ、３７ｂはホルダー３４の一部を打ち出すことにより形成しているため、加工が容易であると共に構成が簡単であるため、ローディング装置１の製造コストの低減を図ることができる。
【００８８】
ロックレバー４２がＳ１方向へ回動されると共に記憶媒体１００が取付部４４の前面に接した状態において、記憶媒体１００がさらに押圧されてＲ方向へ移動されると、記憶媒体１００によって取付部４４が押圧されホルダー３４と記憶媒体１００が一体となってＲ方向へ移動されていく（図２４及び図２５参照）。このとき駆動モーター１８は回転されていないため、搬送用ラック２０は移動されず、ホルダー３４が搬送用ラック２０に対してＲ方向へ移動されていく。従って、搬送用ラック２０とホルダー３４との間に張設されているリミッターバネ４１が伸張される。
【００８９】
このときホルダー３４に伴って搬送用ラック２０が移動されるようにすると、搬送用ラック２０のラック部２０ｃやこれに噛合されている伝達ギヤ１７に負荷が生じ破損や変形のおそれがあるが、ローディング装置１にあっては、ホルダー３４と搬送用ラック２０とがリミッターバネ４２によって連結されているため、ホルダー３４が搬送用ラック２０に対して移動され、ラック部２０ｃ及び伝達ギヤ１７の破損や変形を防止することができる。
【００９０】
また、ホルダー３４と搬送用ラック２０とは各別に移動可能であるため、ホルダー３４と搬送用ラック２０との間の位置精度を厳格に設計する必要がなく、設計の自由度の向上を図ることができる。
【００９１】
ホルダー３４が移動されるときには、その位置に応じてフレキシブルプリント配線板４７が屈曲される。
【００９２】
ホルダー３４と記憶媒体１００が一体となって搬送用ラック２０に対してＲ方向へ移動されると、操作突部３９ｃによる切替スイッチ１２に対する操作が解除されて被操作子１２ｂが非操作ポジションに至り（図２５参照）、駆動モーター１８の回転が開始される。駆動モーター１８が回転されると、搬送用ラック２０がＲ方向へ移動されていく。
【００９３】
搬送用ラック２０がＲ方向へ移動されると、挿入孔２０ｂの前側開口縁によってホルダー３４の被押圧ピン３９ａが押圧され、ホルダー３４がＲ方向へ駆動モーター１８の駆動力によって移動されていく（図２６参照）。従って、ホルダー３４及び記憶媒体１００は自動的に引き込まれていくため、操作者はこれ以上記憶媒体１００を押圧する必要がない。ホルダー３４が駆動モーター１８の駆動力によって移動されるときには、挿入孔２０ｂの前側開口縁とホルダー３４の被押圧ピン３９ａとが接した状態とされ、伸張されていたリミッターバネ４２は再び圧縮される。
【００９４】
駆動モーター１８の駆動力によってホルダー３４がさらにＲ方向へ移動されると、操作突部３９ｃによって後側の切替スイッチ１３の被操作子１３ｂが操作されて操作ポジションに至る（図２７参照）。切替スイッチ１３の被操作子１３ｂが操作されると、所定時間経過後に駆動モーター１８の回転が停止され、ホルダー３４が記憶媒体１００のローディングが完了される完了位置まで移動されて停止され、ローディング動作が完了する（図２８参照）。ホルダー３４が完了位置に停止された状態においては、記憶媒体１００の全体がシャッター２９の開閉部３０の後方まで移動され、シャッター２９は捩じりコイルバネ３３の付勢力によってシャーシ２２のストッパー片２３ａ、２３ａに近付く方向（図２７に示すＭ２方向）へ回動され、腕部３１、３２の上面がストッパー片２３ａ、２３ａに接し、シャーシ２２の前面開口がシャッター２９の開閉部３０によって閉塞される。
【００９５】
次に、完了位置に移動されたホルダー３４に保持された記憶媒体１００についてのイジェクト動作を説明する。
【００９６】
イジェクト動作は電子機器の外筐に設けられた図示しないイジェクト釦が操作されることにより開始される。
【００９７】
イジェクト釦が操作されると、駆動モーター１８が先程とは逆方向へ回転され、搬送用ラック２０がＦ方向へ移動されていく。搬送用ラック２０がＦ方向へ移動されると、ホルダー３４の操作突部３９ｃによる後側の切替スイッチ１３の被操作子１３ｂに対する操作が解除され非操作ポジションに至る。搬送用ラック２０がＦ方向へ移動されると、リミッターバネ４２によって搬送用ラック２０と連結されたホルダー３４が搬送用ラック２０と一体となってＦ方向へ移動され、ホルダー３４に保持されている記憶媒体１００がＦ方向へ移動されていく。
【００９８】
記憶媒体１００がＦ方向へ移動されていくと、記憶媒体１００によってシャッター２９の開閉部３０の第２の案内面３０ｂが押圧されていく（図２９参照）。第２の案内面３０ｂは上方へ行くに従って前方へ変位するように傾斜されているため、記憶媒体１００によって第２の案内面３０ｂが押圧されていくと、記憶媒体１００が第２の案内面３０ｂと摺接され、捩じりコイルバネ３３の付勢力に抗してシャッター２９がシャーシ２２のストッパー片２３ａ、２３ａから離隔する方向（図２９に示すＭ１方向）へ回動されていく。
【００９９】
シャッター２９が回動されるとホルダー３４の前面開口が開放され、記憶媒体１００が前面開口からスロットを介して外部へ排出されていく。
【０１００】
駆動モーター１８の駆動力によってホルダー３４がさらにＦ方向へ移動されると、切替スイッチ１２の被操作子１２ｂが操作されて操作ポジションに至る。切替スイッチ１２の被操作子１２ｂが操作されても直ぐには駆動モーター１８の回転は停止されず、ホルダー３４は被ガイドピン４０ａ、４０ａがシャーシ２２のガイド孔２４ａ、２４ａの前端に位置されたところ、即ち、挿入取出位置に停止される。ホルダー３４が挿入取出位置まで移動されると、ロックレバー４２が付勢バネ４８の付勢力によって回動され、規制部４２ｅがホルダー３４のレバー挿通孔４０ｃ及びシャーシ２２のレバー挿通切欠２４ｅから外方へ突出される。このとき規制部４２ｅとシャーシ２２の被規制部２４ｄとの間には隙間Ｌが形成される。
【０１０１】
切替スイッチ１２の被操作子１２ｂが操作された後、所定の時間、例えば、１００ｍｓｅｃ経過後に駆動モーター１８の回転が停止される。従って、搬送用ラック２０の挿入孔２０ｂの前側開口縁とホルダー３４の被押圧ピン３９ａとの間に隙間Ｈが形成される。
【０１０２】
このように搬送用ラック２０の挿入孔２０ｂの前側開口縁とホルダー３４の被押圧ピン３９ａとの間に隙間Ｈが形成されるまで搬送用ラック２０がＦ方向へ移動されることにより、リミッターバネ４２によってホルダー３４がＦ方向へ付勢され、ホルダー３４の被ガイドピン４０ａ、４０ａがガイド孔２４ａ、２４ａの前側開口縁に押し付けられ、ロックレバー４２の規制部４２ｅとシャーシ２２の被規制部２４ｄとの間に確実に隙間Ｌが形成される。
【０１０３】
駆動モーター１８が停止された状態においては、記憶媒体１００の一部が電子機器のスロットから外方へ突出され、操作者はスロットから突出された記憶媒体１００の部分を把持して引き出すことができる。記憶媒体１００を引き出すと、シャッター２９は捩じりコイルバネ３３の付勢力によってシャーシ２２のストッパー片２３ａ、２３ａに近付く方向（図２９に示すＭ２方向）へ回動され、腕部３１、３２の上面がストッパー片２３ａ、２３ａに接し、シャーシ２２の前面開口がシャッター２９の開閉部３０によって閉塞される。
【０１０４】
次に、記憶媒体１００が正規の向き以外の向き（不適正な向き）で挿入されたときの動作について説明する（図３０参照）。
【０１０５】
記憶媒体１００が正規の向きに対して裏返しや長手方向における接続部１０２の反対側からホルダー３４に挿入された場合には、筐体１０１の一部がホルダー３４の誤挿入防止片３９ｂに接触され、記憶媒体１００のこれ以上の挿入が規制される。筐体１０１の一部が誤挿入防止片３９ｂに接触された状態においては、記憶媒体１００はロックレバー４２にも端子電極４６、４６、・・・にも接触されず、ホルダー３４がＲ方向へ移動されないと共に端子電極４６、４６、・・・の損傷が防止される。
【０１０６】
以上に記載した通り、ローディング装置１にあっては、ホルダー３４を挿入取出位置にロックするロックレバー４２を設け、記憶媒体１００の接続端子１０５、１０５、・・・が端子電極４６、４６、・・・に接続されたときにロックレバー４２によるホルダー３４の挿入取出位置におけるロックが解除されるようにしたので、接続端子１０５、１０５、・・・が端子電極４６、４６、・・・に確実に接続されてからローディング動作が開始され、記憶媒体１００の接続端子１０５、１０５、・・・と端子電極４６、４６、・・・との良好な接続状態を確保することができる。
【０１０７】
また、ローディング装置１にあっては、ホルダー３４に電極取付部材４３を介して端子電極４６、４６、・・・が取り付けられているため、ホルダー３４に対する端子電極４６、４６、・・・の位置精度及びホルダー３４に対する記憶媒体１００の挿入位置精度のみが接続端子１０５、１０５、・・・と端子電極４６、４６、・・・との接続状態に影響し、端子電極がホルダーを移動自在に支持する部材に取り付けられている場合に比し、記憶媒体１００の接続端子１０５、１０５、・・・と端子電極４６、４６、・・・との良好な接続状態を確保することができる。
【０１０８】
さらに、ローディング装置１にあっては、ホルダー３４に設けられた操作突部３９ｃによって切替スイッチ１２、１３の被操作子１２ｂ、１３ｂが操作されることにより駆動モーター１８の駆動状態を切り替えるようにしているため、簡素な機構により動作の信頼性の向上を図ることができる。
【０１０９】
尚、ローディング装置１にあっては、挿入された記憶媒体１００をホルダー３４内においてロックする機構は設けられておらず、機構の簡素化が図られている。
【０１１０】
このようにローディング装置１には記憶媒体１００をロックする機構が設けられていないため、ローディング途中で記憶媒体１００がホルダー３４から引き抜かれる可能性がある。そこで、ローディング装置１にあっては、記憶媒体１００の接続端子１０５、１０５、・・・が端子電極４６、４６、・・・に接続されているか否かの判別を行い、接続されていない旨の判別が行われた場合には、直ちに駆動モーター１８を反転してホルダー３４を挿入取出位置に移動させるようにしている。
【０１１１】
また、この駆動モーター１８の反転によりホルダー３４が挿入取出位置に移動される途中において記憶媒体１００が再びホルダー３４に挿入される可能性があるが、ローディング装置１には記憶媒体１００をロックする機構が設けられていないため、記憶媒体１００がホルダー３４に挿入されても記憶媒体１００がロックする機構に接触して破損するという不具合を生じることがない。
【０１１２】
尚、上記には切替スイッチ１２、１３の２つのスイッチを用いて駆動モーター１８の駆動状態を切り替える例を示したが、例えば、図３１乃至図３３に示すように、１つの切替スイッチ４９のみを用いて駆動モーター１８の駆動状態を切り替えるようにしてもよい。切替スイッチ４９はスイッチ筐体４９ａと被操作子４９ｂとによって構成され、該被操作子４９ｂがスイッチ筐体４９ａに対して回動されて操作される。被操作子４９ｂは、操作されていない非操作ポジションを中立位置として、前側に横倒しとされた第１の操作ポジションと、後側に横倒しとされた第２の操作ポジションとを有し、操作が解除されると第１の操作ポジション又は第２の操作ポジションから非操作ポジションに復帰するようになっている。
【０１１３】
切替スイッチ４９を用いた場合には、例えば、ホルダー３４Ａに前後に離隔して２つの操作突部３９ｄ、３９ｅが設けられている。後側の操作突部３９ｅによって切替スイッチ４９の被操作子４９ｂが操作され駆動モーター１８が停止されている状態（図３１参照）において、記憶媒体１００の挿入に伴ってホルダー３４ＡがＲ方向へ移動されると、操作突部３９ｅによる切替スイッチ４９の被操作子４９ｂに対する操作が解除されて駆動モーター１８の回転が開始され、記憶媒体１００を保持したホルダー３４ＡがＲ方向へ移動される（図３２参照）。切替スイッチ４９の被操作子４９ｂは操作が解除されるため、第１の操作ポジションから非操作ポジションに至る。
【０１１４】
ホルダー３４ＡがＲ方向へ移動され前側の操作突部３９ｄによって被操作子４９ｂが操作されると、駆動モーター１８の回転が停止されてホルダー３４Ａが完了位置に達しローディング動作が終了する（図３３参照）。切替スイッチ４９の被操作子４９ｂは操作突部３９ｄによって操作されるため、非操作ポジションから第２の操作ポジションに至る。
【０１１５】
ホルダー３４Ａが完了位置にある状態（図３３参照）において、イジェクト釦が操作されると駆動モーター１８が先程とは逆方向に回転され、ホルダー３４ＡがＦ方向へ移動される（図３２参照）。ホルダー３４ＡがＦ方向へ移動されると、操作突部３９ｄによる切替スイッチ４９の被操作子４９ｂに対する操作が解除され、該被操作子４９ｂは第２の操作ポジションから非操作ポジションに至る。
【０１１６】
ホルダー３４ＡがＦ方向へ移動され後側の操作突部３９ｅによって被操作子４９ｂが操作されると、駆動モーター１８の回転が停止されてホルダー３４Ａが挿入取出位置に達しイジェクト動作が終了する（図３１参照）。切替スイッチ４９の被操作子４９ｂは操作突部３９ｅによって操作されるため、非操作ポジションから第１の操作ポジションに至る。
【０１１７】
上記のように、１つの切替スイッチ４９を用いて駆動モーター１８の駆動状態の切替を行うことにより、部品点数の削減による製造コストの低減を図ることができる。
【０１１８】
上記した実施の形態において示した各部の形状及び構造は、何れも本発明の実施に際しての具体化のほんの一例を示したものに過ぎず、これらによって、本発明の技術的範囲が限定的に解釈されることがあってはならないものである。
【０１１９】
【発明の効果】
以上に記載したところから明らかなように、本発明接続端子を有する記憶媒体のローディング装置は、接続端子を有する記憶媒体を保持すると共に記憶媒体の挿入又は取出が行われる挿入取出位置と記憶媒体のローディングが完了される完了位置との間を移動されるホルダーと、該ホルダーを挿入取出位置と完了位置との間で移動自在に支持するシャーシと、上記ホルダーに取り付けられ記憶媒体の接続端子が接続される端子電極と、上記ホルダーを挿入取出位置にロックするロックレバーとを備え、記憶媒体の接続端子が上記端子電極に接続されたときに挿入取出位置におけるロックレバーによるホルダーのロックが解除されるようにしたことを特徴とする。
【０１２０】
従って、接続端子が端子電極に確実に接続されてからローディング動作が開始され、記憶媒体の接続端子と端子電極との良好な接続状態を確保することができる。
【０１２１】
また、ホルダーに対する端子電極の位置精度及びホルダーに対する記憶媒体の挿入位置精度のみが接続端子と端子電極との接続状態に影響し、端子電極がホルダーを移動自在に支持する部材に取り付けられている場合に比し、記憶媒体の接続端子と端子電極との良好な接続状態を確保することができる。
【０１２２】
請求項２に記載した発明にあっては、上記ロックレバーにホルダーの挿入取出位置からの移動を規制する規制部を設けると共にロックレバーをホルダーに対してロック位置とロック解除位置との間で回動可能とし、ロックレバーをロック位置へ向けて付勢する付勢バネを設け、上記シャーシに、ホルダーのロック時にロックレバーの規制部に対向する被規制部を設け、上記挿入取出位置においてロックレバーの規制部とシャーシの被規制部との間に所定の隙間を形成したので、ロックレバーが回動されるときに規制部がシャーシの被規制部と接触されず、ロックレバーの回動時の負荷を低減することができると共に規制部及び被規制部の傷付きや摩耗を防止することができる。
【０１２３】
請求項３に記載した発明にあっては、上記ホルダーに対してその移動方向と同じ方向へ移動可能とされラック部を有する搬送用ラックと、該搬送用ラックのラック部に噛合された伝達ギヤと、該伝達ギヤを介して搬送用ラックに駆動力を伝達する駆動モーターと、上記搬送用ラックとホルダーとを連結し該ホルダーを挿入取出位置へ向けて付勢するリミッターバネとを設けたので、ホルダーが搬送用ラックに対して移動され、ラック部及び伝達ギヤの破損や変形を防止することができる。
【０１２４】
請求項４に記載した発明にあっては、上記ホルダーに挿入された記憶媒体を保持する保持部をホルダーに一体に形成したので、記憶媒体を保持する専用の部品を必要とせず、部品点数の削減を図ることができると共に複雑な保持機構が不要であり機構の簡素化を図ることができる。
【０１２５】
請求項５に記載した発明にあっては、上記ホルダーを金属材料によって形成し、上記保持部としてホルダーの内部空間側に突出された打出状の突部を形成したので、保持部の加工が容易であると共に構成が簡単であるため、ローディング装置の製造コストの低減を図ることができる。
【０１２６】
請求項６に記載した発明にあっては、上記ホルダーに操作突部を設け、該操作突部によって操作され駆動モーターの駆動状態を切り替える切替スイッチを設けたので、簡素な機構により動作の信頼性の向上を図ることができる。
【図面の簡単な説明】
【図１】図２及び図３と共にローディング装置に装着される記憶媒体を示すものであり、本図は拡大斜視図である。
【図２】接続端子の電極構造を示す概念図である。
【図３】内部構造及び接続端子の電極構造を示す概念図である。
【図４】図５乃至図３３と共にローディング装置を示すものであり、本図はローディング装置の拡大斜視図である。
【図５】ローディング装置を一部を分離して示す斜視図である。
【図６】ローディング装置の分解斜視図である。
【図７】ベース体の取付ベースとこれに取り付けられた回路基板とを示す拡大斜視図である。
【図８】ベース体の配置ベースとこれに配置された駆動モーター及び伝達ギヤとを示す拡大斜視図である。
【図９】切替スイッチのポジションを示す拡大側面図である。
【図１０】搬送用ラックとリミッターバネを示す拡大分解斜視図である。
【図１１】シャーシとこれに支持されたシャッターを示す拡大分解斜視図である。
【図１２】図１１のＸＩＩ−ＸＩＩ線に沿う拡大断面図である。
【図１３】シャーシにシャッターが支持された状態を示す拡大側面図である。
【図１４】ホルダー、ロックレバー及び端子取付部材を示す拡大分解斜視図である。
【図１５】ホルダーのロアーシェルにロックレバー及び端子取付部材が配置された状態を示す拡大斜視図である。
【図１６】図１７乃至図２９と共にローディング装置の動作を示すものであり、本図はローディング前の状態を示す拡大平面図である。
【図１７】ローディング前の状態を一部を断面にして示す拡大側面図である。
【図１８】ローディング前の状態を示す拡大側面図である。
【図１９】記憶媒体がスロットから挿入されたときにシャッターが開放されている状態を示す拡大側面図である。
【図２０】記憶媒体がホルダーに挿入されていく状態を示す拡大側面図である。
【図２１】記憶媒体の接続端子が端子電極に接続された状態を示す拡大側面図である。
【図２２】ロックレバーが回動されホルダーに対するロックが解除された状態を示す拡大平面図である。
【図２３】記憶媒体がホルダーの保持部に保持された状態を示す拡大断面図である。
【図２４】ホルダーが移動されリミッターバネが伸張された状態を示す拡大平面図である。
【図２５】ホルダーが移動されリミッターバネが伸張された状態を示す拡大側面図である。
【図２６】ホルダーが搬送用ラックとともに移動されている状態を一部を断面にして示す拡大側面図である。
【図２７】ローディング動作が完了した状態を一部を断面にして示す拡大側面図である。
【図２８】ローディング動作が完了した状態を示す拡大平面図である。
【図２９】イジェクト動作時にシャッターが開放されている状態を一部を断面にして示す拡大側面図である。
【図３０】記憶媒体が不適正な向きでホルダーに挿入されたときの状態を示す拡大平面図である。
【図３１】図３２及び図３３と共に１つの切替スイッチを用いてローディング動作及びイジェクト動作を行う場合を示すものであり、本図は切替スイッチが一方の操作突部によって操作されている状態を示す概略側面図である。
【図３２】切替スイッチに対する操作が解除された状態を示す概略側面図である。
【図３３】切替スイッチが他方の操作突部によって操作されている状態を示す概略側面図である。
【符号の説明】
１００…記憶媒体、１０５…接続端子、１…ローディング装置、１２…切替スイッチ、１３…切替スイッチ、１７…伝達ギヤ、１８…駆動モーター、２０…搬送用ラック、２０ｃ…ラック部、２２…シャーシ、２４ｄ…被規制部、３４…ホルダー、３７ａ…保持部、３７ｂ…保持部、３９ｃ…操作突部、４１…リミッターバネ、４２…ロックレバー、４２ｅ…規制部、４６…端子電極、４８…付勢バネ、３４Ａ…ホルダー、３９ｄ…操作突部、３９ｅ…操作突部、４９…切替スイッチ
【図１】
2004272451.tif 000003
【図２】
2004272451.tif 000004
【図３】
2004272451.tif 000005
【図４】
2004272451.tif 000006
【図５】
2004272451.tif 000007
【図６】
2004272451.tif 000008
【図７】
2004272451.tif 000009
【図８】
2004272451.tif 000010
【図９】
2004272451.tif 000011
【図１０】
2004272451.tif 000012
【図１１】
2004272451.tif 000013
【図１２】
2004272451.tif 000014
【図１３】
2004272451.tif 000015
【図１４】
2004272451.tif 000016
【図１５】
2004272451.tif 000017
【図１６】
2004272451.tif 000018
【図１７】
2004272451.tif 000019
【図１８】
2004272451.tif 000020
【図１９】
2004272451.tif 000021
【図２０】
2004272451.tif 000022
【図２１】
2004272451.tif 000023
【図２２】
2004272451.tif 000024
【図２３】
2004272451.tif 000025
【図２４】
2004272451.tif 000026
【図２５】
2004272451.tif 000027
【図２６】
2004272451.tif 000028
【図２７】
2004272451.tif 000029
【図２８】
2004272451.tif 000030
【図２９】
2004272451.tif 000031
【図３０】
2004272451.tif 000032
【図３１】
2004272451.tif 000033
【図３２】
2004272451.tif 000034
【図３３】
2004272451.tif 000035